【手続補正書】
【提出日】平成22年8月26日(2010.8.26)
【手続補正１】
【補正対象書類名】明細書
【補正対象項目名】００１５
【補正方法】変更
【補正の内容】
【００１５】
他のシステム、方法、機能、および利点は、以下の図面および発明を実施するための最良の形態を精査することにより、当業者には明白、あるいは明白となるであろう。すべてのこのような追加のシステム、方法、機能、および利点が、本記載に含まれ、本明細書に記載のシステムおよび方法の範囲内であり、添付の請求項によって保護されることを意図する。
本発明は、例えば、以下を提供する。
（項目１）
人工弁を移植するための方法であって、
移植可能な弁を対象の大動脈弁移植部位の近傍に配置するステップと、
該弁を該移植部位に係合させるステップと
を備え、
該弁は、支持構造と、該支持構造に連結した少なくとも２つの弁尖とを備え、該弁尖は、左心室に向かう血流に抵抗するために、大動脈壁に向かって第１の位置へ偏移するように構成され、左心室からの血流を可能にするために、大動脈壁から離れて第２の位置へ偏移するように構成され、該支持構造は、該弁尖の偏移の間、静止したままであるように構成される、方法。
（項目２）
前記支持構造は、複数の支柱を備え、それぞれの支柱は、少なくとも１つの弁尖を支持するように構成される、項目１に記載の方法。
（項目３）
前記弁を前記移植部位に係合するステップは、前記支柱を渦巻状態から、組織を係合するように構成される比較的まっすぐな状態へ遷移させるステップを備える、項目２に記載の方法。
（項目４）
前記支柱は、前記まっすぐな状態に向かって付勢される、項目３に記載の方法。
（項目５）
前記支持構造は、それぞれの支柱に連結する付勢部材をさらに備える、項目４に記載の方法。
（項目６）
前記支持構造は、係留部と連結した支持アームを備え、該支持アームは、少なくとも２つの弁尖と連結する、項目１に記載の方法。
（項目７）
前記係留部は、複数の反転可能なパネルを備える、項目６に記載の方法。
（項目８）
それぞれの支柱は、前記弁を前記移植部位で係留するように構成される複数の係留デバイスを備える、項目２に記載の方法。
（項目９）
それぞれの支柱は、１つ以上の弁尖と連結した第１の縁部を備える、項目２に記載の方法。
（項目１０）
それぞれの支柱は、前記第２の位置で１つ以上の弁尖を受容するように構成される開口を備える、項目９に記載の方法。
（項目１１）
前記支持構造は、３つの支柱を備える、項目２に記載の方法。
（項目１２）
それぞれの支柱は、前記支持構造の長手方向中心軸のまわりに、略１２０度で配向される、項目１１に記載の方法。
（項目１３）
それぞれの支柱は、前記支持構造の中心部と連結される、項目１２に記載の方法。
（項目１４）
それぞれの支柱は、ヒンジで前記支持構造の前記中心部と連結される、項目１３に記載の方法。
（項目１５）
前記弁を前記移植部位に係合するステップは、比較的渦巻状態から比較的まっすぐな状態へ、前記ヒンジまわりでそれぞれの支柱を回転させるステップを備える、項目１４に記載の方法。
（項目１６）
人工弁装置であって、
血管内の移植のために構成された支持構造と、
該支持構造と連結した少なくとも２つの弁尖と
を備え、
該弁尖は、心腔に向かう血流に抵抗するために、大動脈壁に向かって第１の位置へ偏移するように構成され、心腔からの血流を可能にするために、該血管壁から離れて第２の位置へ偏移するように構成され、該支持構造は、該弁尖の偏移の間、静止したままであるように構成される、装置。
（項目１７）
前記支持構造は、複数の支柱を備え、それぞれの支柱は、少なくとも１つの弁尖を支持するように構成される、項目１６に記載の装置。
（項目１８）
前記支柱は、渦巻状態から、組織を係合するように構成される比較的まっすぐな状態へ遷移するように構成される、項目１７に記載の装置。
（項目１９）
前記支柱は、前記まっすぐな状態に向かって付勢される、項目１８に記載の装置。
（項目２０）
前記支持構造は、それぞれの支柱に連結された付勢部材をさらに備える、項目１９に記載の装置。
（項目２１）
前記支持構造は、係留部と連結された支持アームを備え、該支持アームは、少なくとも２つの弁尖と連結される、項目２０に記載の装置。
（項目２２）
前記係留部は、複数の反転可能なパネルを備える、項目２１に記載の装置。
（項目２３）
それぞれの支柱は、前記弁を前記移植部位で係留するように構成される複数の係留デバイスを備える、項目１７に記載の装置。
（項目２４）
それぞれの支柱は、１つ以上の弁尖と連結された第１の縁部を備える、項目１７に記載の装置。
（項目２５）
それぞれの支柱は、前記第２の位置で１つ以上の弁尖を受容するように構成された開口を備える、項目２４に記載の装置。
（項目２６）
前記支持構造は３つの支柱を備える、項目１７に記載の装置。
（項目２７）
それぞれの支柱は、前記支持構造の長手方向中心軸のまわりに、略１２０度で配向される、項目２６に記載の装置。
（項目２８）
それぞれの支柱は、前記支持構造の中心部と連結される、項目２７に記載の装置。
（項目２９）
それぞれの支柱は、ヒンジで前記支持構造の前記中心部と連結される、項目２８に記載の装置。
（項目３０）
それぞれの支柱は、前記ヒンジまわりに、比較的渦巻状態から比較的まっすぐな状態へ回転可能である、項目２９に記載の装置。
（項目３１）
前記支持構造は、３つの支柱部と連結された中心部を備え、それぞれの支柱部は、前記血管壁に係合するように構成された自由縁部を有し、該支柱部は、前記弁尖の偏移を可能にするように構成された空間を画定する内側縁部を備え、該内側縁部は、前記複数の弁尖と連結される、項目２に記載の装置。
（項目３２）
前記支柱部のそれぞれは、対称的に配向される、項目３１に記載の装置。
（項目３３）
前記支柱部のそれぞれは、前記中心部のまわりに約１２０度離れて配向される、項目３１に記載の装置。
（項目３４）
前記支持構造は、細長い医療デバイスによる移植のために折り畳み可能である、項目３１に記載の装置。
（項目３５）
前記支持構造は、
前記血管壁に係合するように構成される係留部と、
２つの端部を備える支持アームと
を備え、
それぞれの端部は、該支持アームが、該係留部を横切って延在するように、該係留部の反対側と連結され、該支持アームは、前記複数の弁尖と連結され、該弁尖の偏移を可能にするように構成される、項目２に記載の装置。
（項目３６）
前記支持アームは湾曲している、項目３５に記載の装置。
（項目３７）
前記支持アームは、前記弁尖の偏移を誘導するように構成される誘導構造と連結される、項目３６に記載の装置。
（項目３８）
前記誘導構造は平面構造である、項目３７に記載の装置。
（項目３９）
前記係留部は円状の半径方向断面を有する、項目３６に記載の装置。
【手続補正２】
【補正対象書類名】特許請求の範囲
【補正対象項目名】全文
【補正方法】変更
【補正の内容】
【特許請求の範囲】
【請求項１】
人工弁を移植するためのシステムであって、
対象の大動脈弁移植部位の近傍に配置するように構成された移植可能な弁
を備え、
該弁が該移植部位に係合するように構成されており、
該弁は、支持構造と、該支持構造に連結した少なくとも２つの弁尖とを備え、該弁尖は、左心室に向かう血流に抵抗するために、大動脈壁に向かって第１の位置へ偏移するように構成され、左心室からの血流を可能にするために、大動脈壁から離れて第２の位置へ偏移するように構成され、該支持構造は、該弁尖の偏移の間、静止したままであるように構成される、システム。
【請求項２】
前記支持構造は、複数の支柱を備え、それぞれの支柱は、少なくとも１つの弁尖を支持するように構成される、請求項１に記載のシステム。
【請求項３】
前記弁を前記移植部位に係合するステップは、前記支柱を渦巻状態から、組織を係合するように構成される比較的まっすぐな状態へ遷移させるステップを備える、請求項２に記載のシステム。
【請求項４】
前記支柱は、前記まっすぐな状態に向かって付勢される、請求項３に記載のシステム。
【請求項５】
前記支持構造は、それぞれの支柱に連結する付勢部材をさらに備える、請求項４に記載のシステム。
【請求項６】
前記支持構造は、係留部と連結した支持アームを備え、該支持アームは、少なくとも２つの弁尖と連結する、請求項１に記載のシステム。
【請求項７】
前記係留部は、複数の反転可能なパネルを備える、請求項６に記載のシステム。
【請求項８】
それぞれの支柱は、前記弁を前記移植部位で係留するように構成される複数の係留デバイスを備える、請求項２に記載のシステム。
【請求項９】
それぞれの支柱は、１つ以上の弁尖と連結した第１の縁部を備える、請求項２に記載のシステム。
【請求項１０】
それぞれの支柱は、前記第２の位置で１つ以上の弁尖を受容するように構成される開口を備える、請求項９に記載のシステム。
【請求項１１】
前記支持構造は、３つの支柱を備える、請求項２に記載のシステム。
【請求項１２】
それぞれの支柱は、前記支持構造の長手方向中心軸のまわりに、略１２０度で配向される、請求項１１に記載のシステム。
【請求項１３】
それぞれの支柱は、前記支持構造の中心部と連結される、請求項１２に記載のシステム。
【請求項１４】
それぞれの支柱は、ヒンジで前記支持構造の前記中心部と連結される、請求項１３に記載のシステム。
【請求項１５】
前記弁を前記移植部位に係合するステップは、比較的渦巻状態から比較的まっすぐな状態へ、前記ヒンジまわりでそれぞれの支柱を回転させるステップを備える、請求項１４に記載のシステム。
【請求項１６】
人工弁装置であって、
血管内の移植のために構成された支持構造と、
該支持構造と連結した少なくとも２つの弁尖と
を備え、
該弁尖は、心腔に向かう血流に抵抗するために、大動脈壁に向かって第１の位置へ偏移するように構成され、心腔からの血流を可能にするために、該血管壁から離れて第２の位置へ偏移するように構成され、該支持構造は、該弁尖の偏移の間、静止したままであるように構成される、装置。
【請求項１７】
前記支持構造は、複数の支柱を備え、それぞれの支柱は、少なくとも１つの弁尖を支持するように構成される、請求項１６に記載の装置。
【請求項１８】
前記支柱は、渦巻状態から、組織を係合するように構成される比較的まっすぐな状態へ遷移するように構成される、請求項１７に記載の装置。
【請求項１９】
前記支柱は、前記まっすぐな状態に向かって付勢される、請求項１８に記載の装置。
【請求項２０】
前記支持構造は、それぞれの支柱に連結された付勢部材をさらに備える、請求項１９に記載の装置。
【請求項２１】
前記支持構造は、係留部と連結された支持アームを備え、該支持アームは、少なくとも２つの弁尖と連結される、請求項２０に記載の装置。
【請求項２２】
前記係留部は、複数の反転可能なパネルを備える、請求項２１に記載の装置。
【請求項２３】
それぞれの支柱は、前記弁を前記移植部位で係留するように構成される複数の係留デバイスを備える、請求項１７に記載の装置。
【請求項２４】
それぞれの支柱は、１つ以上の弁尖と連結された第１の縁部を備える、請求項１７に記載の装置。
【請求項２５】
それぞれの支柱は、前記第２の位置で１つ以上の弁尖を受容するように構成された開口を備える、請求項２４に記載の装置。
【請求項２６】
前記支持構造は３つの支柱を備える、請求項１７に記載の装置。
【請求項２７】
それぞれの支柱は、前記支持構造の長手方向中心軸のまわりに、略１２０度で配向される、請求項２６に記載の装置。
【請求項２８】
それぞれの支柱は、前記支持構造の中心部と連結される、請求項２７に記載の装置。
【請求項２９】
それぞれの支柱は、ヒンジで前記支持構造の前記中心部と連結される、請求項２８に記載の装置。
【請求項３０】
それぞれの支柱は、前記ヒンジまわりに、比較的渦巻状態から比較的まっすぐな状態へ回転可能である、請求項２９に記載の装置。
【請求項３１】
前記支持構造は、３つの支柱部と連結された中心部を備え、それぞれの支柱部は、前記血管壁に係合するように構成された自由縁部を有し、該支柱部は、前記弁尖の偏移を可能にするように構成された空間を画定する内側縁部を備え、該内側縁部は、前記複数の弁尖と連結される、請求項１６に記載の装置。
【請求項３２】
前記支柱部のそれぞれは、対称的に配向される、請求項３１に記載の装置。
【請求項３３】
前記支柱部のそれぞれは、前記中心部のまわりに約１２０度離れて配向される、請求項３１に記載の装置。
【請求項３４】
前記支持構造は、細長い医療デバイスによる移植のために折り畳み可能である、請求項３１に記載の装置。
【請求項３５】
前記支持構造は、
前記血管壁に係合するように構成される係留部と、
２つの端部を備える支持アームと
を備え、
それぞれの端部は、該支持アームが、該係留部を横切って延在するように、該係留部の反対側と連結され、該支持アームは、前記複数の弁尖と連結され、該弁尖の偏移を可能にするように構成される、請求項１６に記載の装置。
【請求項３６】
前記支持アームは湾曲している、請求項３５に記載の装置。
【請求項３７】
前記支持アームは、前記弁尖の偏移を誘導するように構成される誘導構造と連結される、請求項３６に記載の装置。
【請求項３８】
前記誘導構造は平面構造である、請求項３７に記載の装置。
【請求項３９】
前記係留部は円状の半径方向断面を有する、請求項３６に記載の装置。